(57)【特許請求の範囲】
【請求項１】
四辺形の板状のヨ−ク部と、上記ヨ−ク部の内面中央から低い高さで突出させ、当該ヨ−ク部の板状面積に比べ充分小さい四辺形断面とした内部コアと、上記ヨ−ク部の両端からヨ−ク部と同じ幅で、かつ、内部コアと同じ長さで張出した低い高さの板状の側部コアとを有する一対のフエライトコアを設けると共に、上記コアのヨ−ク部内面は、内部コアと側部コアとの間を肉厚とし、その他のヨ−ク部内面を肉薄となるように形成し、さらに、上記内部コアを内挿する短い筒状の巻線筒状部及びこの巻線筒状部両端に一体に設けた板状の鍔部を有するボビンを設け、上記鍔部には上記コアの肉厚部を嵌合させる凹状部を形成し、ボビンの巻線筒状部周囲に巻線した後ボビン両側より巻線筒状部内に内部コアを挿入し、上記鍔部の凹状部に肉厚部を嵌合させるようにして上記一対のコアを組付けて構成したことを特徴とする小形巻線部品。
【発明の詳細な説明】
【０００１】
【発明の属する技術分野】
この発明は、小形トランスやチョ−クコイル等の小形巻線部品に関する。
【０００２】
【従来の技術】
チョ−クコイルや小形トランスなどの小形巻線部品は、組み込み易くするため、その高さを可能なるかぎり制限して偏平化することが望ましい。
図１１〜図１３は、この種の小形トランスの一例を示したもので、１、２はフエライト材からなる同形状のコアで、図１４はそのコア１を示し、ほぼ方形をなす板状のヨ−ク部１ａの長手方向両端部の各々からは、長さの短い左右脚１ｂ、１ｃが延設され、この左右脚１ｂ、１ｃは、ヨ−ク部１ａと同じ幅及び同じ肉厚となっている。
【０００３】
また、中央脚１ｄは、四辺形断面をなし、ヨ−ク部１ａ内面の中央から左右脚１ｂ、１ｃと同じ長さで突出している。
コア２も上記コア１と同形状で、ヨ−ク部２ａ、（図示省略）左右脚２ｂ、２ｃ、中央脚２ｄを備えた構成となっている。
【０００４】
一方、ボビン３は、図１５に示すように、コア１、２の中央脚１ｄ、２ｄを挿入する角筒部３ａを有し、角筒部３ａの両端には方形の鍔３ｂ、３ｃが形成されている。
また、対向辺となる鍔３ｃの二辺部には端子ピン４を植設するための肉厚部３ｄ、３ｅが設けられている。
【０００５】
小形トランスの生産に当っては、ボビン３の角筒部３ａにコイル５を巻装し、コイル端部をボビン３の肉厚部３ｄ、３ｅに植設した端子ピン４に止着する。
次に、コア１、２は、中央脚１ｄ、２ｄをボビン３の角筒部３ａ内孔に挿入させるようにして鍔３ｂ、３ｃの外側より嵌め合わせ、コア１、２の脚端面を接合させる。
なお、コア１、２の脚端面は接着剤をもって固着してある。
【０００６】
上記した小形トランスは、コア１、２の左右脚１ｂ、１ｃ、２ｂ、２ｃと中央脚１ｄ、２ｄの長さを短くし、これらコア１、２をボビン３の上下方向から各々の中央脚１ｄ、２ｄを角筒部３ａ内孔に挿入するようにして組付けてあるので、高さの低い小形トランスとなっている。
【０００７】
【発明が解決しようとする課題】
小形の電気製品は、年々小形化が進み、これら電気製品に組み込まれる電気部品もさらに縮小化、偏平化が望まれている。
【０００８】
本発明は、このような要請に応えるため、高さを更に低くして充分偏平化されたこの種の小形巻線部品を提供することを目的とする。
【０００９】
【課題を解決するための手段】
上記した目的を達成するため、本発明では、四辺形の板状のヨ−ク部と、上記ヨ−ク部の内面中央から低い高さで突出させ、当該ヨ−ク部の板状面積に比べ充分小さい四辺形断面とした内部コアと、上記ヨ−ク部の両端からヨ−ク部と同じ幅で、かつ、内部コアと同じ長さで張出した低い高さの板状の側部コアとを有する一対のフエライトコアを設けると共に、上記コアのヨ−ク部内面は、内部コアと側部コアとの間を肉厚とし、その他のヨ−ク部内面を肉薄となるように形成し、さらに、上記内部コアを内挿する短い筒状の巻線筒状部及びこの巻線筒状部両端に一体に設けた板状の鍔部を有するボビンを設け、上記鍔部には上記コアの肉厚部を嵌合させる凹状部を形成し、ボビンの巻線筒状部周囲に巻線した後ボビン両側より巻線筒状部内に内部コアを挿入し、上記鍔部の凹状部に肉厚部を嵌合させるようにして上記一対のコアを組付けて構成したことを特徴とする小形巻線部品を提案する。
【００１０】
この小形巻線部品は、コアをボビンに組付けると、コアのヨ−ク部内面の肉厚部がボビンの鍔部に形成した凹状部に嵌合するので、鍔部の外面からはみ出るコア部分は、肉厚部を除いた板厚の薄いヨ−ク部分となり、これより、巻線部品の外形が小形化され、充分偏平化した小形巻線部品となる。
【００１１】
【発明の実施の形態】
次に、本発明を小形トランスに実施した実施形態について図面に沿って説明する。
図１〜図４は小形トランスを示したもので、図１は小形トランスの正面図、図２は側部コア方向から見た同小形トランスの側面図、図３は端子ピン方向から見た同小形トランスの側面図、図４は図１上のＡ−Ａ線に沿って切断した断面図である。
【００１２】
この小形トランスに備えたコア５０、５１は、共に同形状のもので、フエライト粉末を焼成加工して形成してある。
図５はコア５０を示したもので、このコア５０は、四辺形をなす板状のヨ−ク部５０ａと、このヨ−ク部５０ａの内面中央から突出した高さの低い四辺形断面の内部コア５０ｂと、ヨ−ク部５０ａの両端からヨ−ク部５０ａと同じ幅で、かつ、内部コア５０ｂと同じ高さで張出した側部コア５０ｃとから形成してある。
【００１３】
ヨ−ク部５０ａは、内部コア５０ｂと側部コア５０ｃの各々の対向面を連結するヨ−ク部分を除き、その板厚を薄く形成してヨ−ク部５０ａ内面に図示するような肉厚部５０ｄを形成し、コア５０は上記肉厚部５０ｄによってその強度が充分に保持されると共に、従来のコアと同等の磁路断面が確保される。
【００１４】
コア５１は上記コア５０と同形状で、ヨ−ク部５１ａ、内部コア５１ｂ、側部コア５１ｃからなり、ヨ−ク部５１ａ内面には肉厚部５１ｄが設けてある。
【００１５】
図６〜図８はボビン５２を示したもので、合成樹脂材からなるボビン５２は、角筒状の巻線部５３を備え、この巻線部５３の両側には四辺形の鍔部５４、５５を一体形成し、また、鍔部５５の対向する２辺部には端子ピン５６を植設するための肉厚部５５ａが設けてある。
【００１６】
上記した各々の鍔部５４、５５には、図６及び図７に示したように、コア５０、５１に形成した肉厚部５０ｄ、５１ｄを嵌合させる台形の凹状部５４ｂ、５５ｂが外面側に形成してある。
【００１７】
上記したボビン５２は、図７に示すように、巻線部５３が短筒状となっているので、高さが極めて低くなっている。
【００１８】
図８に示す符号５７は、端子ピン５６を挿入する孔部である。
【００１９】
端子ピン５６は、図２に示すように、ボビン５２の肉厚部５５ａの外面に横付けに植設し、植設基部近くから斜め下方に折り曲げ、先端を肉厚部５５ａの底面に水平になるように折り曲げてある。
【００２０】
小形トランスの生産に当っては、ボビン５２の巻線部５３にコイル５８を巻線し、コイル５８の端部を所定の端子ピン５６にからげ、端子ピン５６のからげ部を半田付け等で止着する。
【００２１】
コイル５８を巻装したボビン５２には、ボビン５２の上下方向から巻線部５３内孔に内部コア５０ｂ、５１ｂを挿入するようにしてコア５０、５１を組付ける。
コア５０、５１をボビン５２に組付けると、コア５０、５１の肉厚部５０ｄ、５１ｄは鍔部５４、５５に形成した凹状部５４ｂ、５５ｂに嵌合する。
【００２２】
コア５０、５１のコア端面は、接着剤等で固着し、或いは、金具、テ−プ等を使って接合固定する。
【００２３】
このようにして構成した小形トランスは、鍔部５４、５５の外面からはみ出るコア部分が板厚の薄いヨ−ク部５０ａ、５１ａとなるので、従来のこの種の小形トランスに比べ、トランスの高さを低くすることができる。
【００２４】
図９及び図１０は、上記実施形態の変形例であり、コア５０に形成した肉厚部５０ｄの両側段縁部に、図９に示すようなテ−パ−５０ｅを形成し、このコア５０を組付けるボビン５２には、鍔部５４に形成した凹状部５４ｂの両側段縁部に上記テ−パ−５０ｅと対接するようなテ−パ−５４ｃを形成してある。
【００２５】
なお、コア５１についても上記コア５０と同様に、肉厚部５１ｄの外側面にテ−パ−を形成し、また、ボビン５２の鍔部５５には上記テ−パ−と対接するようなテ−パ−を形成してある。
【００２６】
このように、コア５０、５１とボビン５２の各々にテ−パ−を形成すれば、ボビン５２に対するコア５０、５１の組付けが容易となる。
【００２７】
本発明は、小形トランスに限らず、チョ−クコイル等の電気巻線部品についても同様に実施することができる。
【００２８】
【発明の効果】
上記した通り、本発明に係る小形巻線部品は、コアのヨ−ク部内面のうち、内部コアと側部コアの対向面間のコア部を肉厚に、その他のヨ−ク部内面を肉薄となるように形成し、この肉厚部をボビンの鍔部に形成した凹状部に嵌合させる構成としたので、ボビンの鍔部の外面からはみ出るコア部分が、この板厚の薄いヨ−ク部で形成され、巻線部品を小形化、偏平化することができる。
【図面の簡単な説明】
【図１】本発明を小形トランスとして実施した実施形態を示し、同小形トランスの正面図である。
【図２】側部コア方向から見た上記小形トランスの側面図である。
【図３】端子ピン方向から見た上記小形トランスの右側面図である。
【図４】図１上のＡ−Ａ線断面図である。
【図５】上記小形トランスに備えたコアの斜視図である。
【図６】上記小形トランスに備えたボビンの正面図である。
【図７】上記ボビンの一側面図である。
【図８】端子ピンの植設方向から見た上記ボビンの側面図である。
【図９】本発明の変形例であり、小形トランスに備えるコアの内面図である。
【図１０】本発明の変形例であり、小形トランスに備えるボビンの正面図である。
【図１１】従来の小形トランスの正面図である。
【図１２】図１１上のＢ−Ｂ線断面図である。
【図１３】図１１上のＣ−Ｃ線断面図である。
【図１４】従来の小形トランスに備えたコアの断面図である。
【図１５】従来の小形トランスに備えたボビンの側面図である。
【符号の説明】
５０、５１  コア
５０ａ、５１ａ  ヨ−ク部
５０ｂ、５１ｂ  内部コア
５０ｃ、５１ｃ  側部コア
５０ｄ、５１ｄ  肉厚部
５２  ボビン
５３  巻線部
５４、５５  鍔部
５４ｂ、５５ｂ  凹状部
５６  端子ピン
５８  コイル
【図１】
0003932492.tif 000002
【図２】
0003932492.tif 000003
【図３】
0003932492.tif 000004
【図４】
0003932492.tif 000005
【図５】
0003932492.tif 000006
【図６】
0003932492.tif 000007
【図７】
0003932492.tif 000008
【図８】
0003932492.tif 000009
【図９】
0003932492.tif 000010
【図１０】
0003932492.tif 000011
【図１１】
0003932492.tif 000012
【図１２】
0003932492.tif 000013
【図１３】
0003932492.tif 000014
【図１４】
0003932492.tif 000015
【図１５】
0003932492.tif 000016